(57)【要約】  本発明は、液化ガスを保存して輸送するための容器であって、液化ガスを保存することを意図する第１のリザーバ（２）、第１のリザーバ（２）の周りに配置された第２の外部リザーバ（３）、第１のリザーバ（２）と第２のリザーバ（３）との間に配置され、熱遮蔽を形成するための液化ガスを含有する第３の環状リザーバ（４）を含む容器に関し、容器（１）は、第１のリザーバ（２）及び第３のリザーバ（４）が温度の変化によって生じた寸法変化をした時に、第１のリザーバ（２）及び第３のリザーバ（４）を第２のリザーバ（３）内でずらすことができるように構成された、第１のリザーバ（２）及び第３のリザーバ（４）を第２のリザーバ（３）内に保持するための装置を含み、保持システムは、１組のタイバー（５、６）を含み、少なくとも一部のタイバー（５、６）は、第２のリザーバ（３）に連結式に接続された第１の端部（７）、及び第１のリザーバ（２）又は第３のリザーバ（４）又は第３のリザーバ（４）に堅固に接合された構造要素に堅固に接続された第２の端部（８、９）を有し、前記連結されたタイバー（５、６）は、それぞれがタイバーの第２の端部（８、９）の２つの異なる位置を画定し、それぞれが第２のリザーバ（３）に対する第１のリザーバ（２）及び第３のリザーバ（４）の過度の寸法変化に対応する、２つの所与の角度位置の間で可動である。【選択図】図１
2021515151.tif 000002
【特許請求の範囲】
【請求項１】
液化ガス、具体的にはヘリウムなどの極低温流体を保存して輸送するための容器であって、長手方向（Ａ）に延在し、前記液化ガスを保存することを意図する第１の内部リザーバ（２）、前記第１のリザーバ（２）の周りに配置された第２の外部リザーバ（３）を含み、前記第１のリザーバ（２）と前記第２のリザーバ（３）との間に真空絶縁空間を備え、前記容器は、前記第１のリザーバ（２）と前記第２のリザーバ（３）との間で、前記第１のリザーバ（２）の周りに配置された第３の環状リザーバ（４）を含み、前記第３のリザーバ（４）は、前記第１のリザーバ（２）の少なくとも一部の周りに延在し、前記第１のリザーバ（２）を断熱するための熱遮蔽を形成するために液化ガスを含有し、前記容器（１）は、前記第２のリザーバ（３）内に前記第１のリザーバ（２）及び前記第３のリザーバ（４）を保持するための装置を含み、前記保持システムは、前記第１のリザーバ（２）及び前記第３のリザーバ（４）が温度変化によって生じた寸法変化をした時に、前記第２のリザーバ（３）内の前記第１のリザーバ（２）及び前記第３のリザーバ（４）の具体的には前記長手方向（Ａ）の移動を制限することができるように構成され、前記保持システムは１組のタイロッド（５、６）を含み、前記タイロッド（５、６）の少なくとも一部は、前記第２のリザーバ（３）に連結式に接続された第１の端部（７）、及び前記第１のリザーバ（２）又は前記第３のリザーバ（４）又は前記第１のリザーバ（２）若しくは前記第３のリザーバ（４）に堅固に接続された構造要素に堅固に接続された第２の端部（８、９）を有し、前記連結されたタイロッド（５、６）は、それぞれが前記タイロッドの前記第２の端部（８、９）の２つの別個の位置を画定し、それぞれが前記第２のリザーバ（３）に対する前記第１のリザーバ（２）及び前記第３のリザーバ（４）の過度の寸法変化に対応する、２つの所与の角度位置の間を可動であることを特徴とする、容器。
【請求項２】
前記容器は、前記第２のリザーバ（３）に接続された第１の端部（７）、及び前記第１のリザーバ（２）に堅固に接続された第２の端部（８）を有する第１の組のタイロッド（５）を含み、前記第１の組のタイロッド（５）は複数のタイロッド（５）、具体的には４つのタイロッド（５）を含み、前記タイロッド（５）の前記第１の端部（７）は、前記第２のリザーバ（３）の第１の長手方向端部に据えられ、前記タイロッド（５）の前記第２の端部（８）は、前記第１のリザーバ（２）の第１の長手方向端部に接続されることを特徴とする、請求項１に記載の容器。
【請求項３】
前記第１の組のタイロッド（５）は、前記第２のリザーバ（３）の前記上部に接続された上部タイロッド（５）の第１の端部（７）、及び前記第１のリザーバ（２）の前記下部に接続された前記上部タイロッド（５）の第２の端部（８）を有する２つの上部タイロッド（５）、並びに前記第２のリザーバ（３）の前記下部に接続された下部タイロッド（５）の第１の端部（７）、及び前記第１のリザーバ（２）の前記上部に接続された前記下部タイロッド（５）の第２の端部（８）を有する２つの下部タイロッド（５）を含むことを特徴とする、請求項２に記載の容器。
【請求項４】
前記容器は、前記第２のリザーバ（３）に接続された第１の端部（７）、及び前記第１のリザーバ（２）に堅固に接続された第２の端部（８）を有する第２の組のタイロッド（５）を含み、前記第２の組のタイロッド（５）は、複数のタイロッド（５）、具体的には４つのタイロッド（５）を含み、前記タイロッド（５）の前記第１の端部（７）は、前記第２のリザーバ（３）の第２の長手方向端部に据えられ、前記タイロッド（５）の前記第２の端部（８）は、前記第１のリザーバ（２）の前記第２の長手方向端部に接続されることを特徴とする、請求項２又は３のいずれか一項に記載の容器。
【請求項５】
前記第２の組のタイロッド（５）は、上部タイロッド（５）の前記第１の端部（７）が前記第２のリザーバ（３）の前記上部に接続され、前記上部タイロッド（５）の前記第２の端部（８）が前記第１のリザーバ（２）の前記下部に接続される２つの上部タイロッド（５）、並びに前記第２のリザーバ（３）の前記下部に接続された下部タイロッド（５）の第１の端部（７）、及び前記第１のリザーバ（２）の前記上部に接続された前記下部タイロッド（５）の第２の端部（８）を有する２つの下部タイロッド（５）を含むことを特徴とする、請求項４に記載の容器。
【請求項６】
前記長手方向（Ａ）に垂直な平面において、前記上部タイロッド（５）は、７０〜１３０度、及び好ましくは９０〜１２０度の角度で交差し、前記下部タイロッド（５）は、７０〜１３０度、及び好ましくは９０〜１２０度の角度で交差することを特徴とする、請求項３又は５に記載の容器。
【請求項７】
前記長手方向（Ａ）に平行な平面において、前記上部タイロッド（５）は、前記下部タイロッド（５）と交差することを特徴とする、請求項３、５又は６に記載の容器。
【請求項８】
前記第２のリザーバ（３）は、所与の半径をもつ前記長手方向（Ａ）に延在する円筒の全体形状を有し、前記第１の組のタイロッド及び前記第２の組のタイロッドの前記タイロッド（５）は、それぞれが前記半径の長さの８０〜１５０％、及び好ましくは９０〜１２０％の前記長さを有することを特徴とする、請求項２〜７のいずれか一項に記載の容器。
【請求項９】
前記容器は、第３の組のタイロッド（６）、具体的には４つのタイロッド（６）を含み、前記タイロッド（６）は、前記第２のリザーバ（３）に接続された第１の端部（１０）、及び前記第３のリザーバ（４）又は前記第３のリザーバ（４）に堅固に接続された支持部（１１、１２、１３）に接続された第２の端部（９）を有し、前記第３の組の前記タイロッド（６）の前記第１の端部（１０）は、前記第２のリザーバ（３）の前記第１の長手方向端部に据えられ、前記タイロッド（６）の前記第２の端部（９）は、前記第２のリザーバの前記第１の長手方向端部に据えられることを特徴とする、請求項１〜８のいずれか一項に記載の容器。
【請求項１０】
前記第３の組のタイロッド（６）は、上部タイロッド（６）の前記第１の端部（１０）が前記第２のリザーバ（３）の前記上部に据えられ、前記上部タイロッド（６）の前記第２の端部（９）が前記第１のリザーバ（２）の前記上部に据えられる２つの上部タイロッド（６）、及び下部タイロッド（６）の前記第１の端部（１０）が前記第２のリザーバ（３）の前記下部に接続され、前記下部タイロッド（６）の前記第２の端部（９）が前記第１のリザーバ（２）の前記下部に据えられる２つの下部タイロッド（６）を含むことを特徴とする、請求項９に記載の容器。
【請求項１１】
前記容器は、第４の組のタイロッド（６）、具体的には４つのタイロッド（６）を含み、前記タイロッド（６）は、前記第２のリザーバ（３）に接続された第１の端部（１０）、及び前記第３のリザーバ（４）又は前記第３のリザーバ（４）に堅固に接続された支持部（１１、１２、１３）に接続された第２の端部（９）を有し、前記第３の組の前記タイロッド（６）の前記第１の端部（１０）は、前記第２のリザーバ（３）の前記第２の長手方向端部に据えられ、前記タイロッド（６）の前記第２の端部（９）は、前記第２のリザーバの前記第２の長手方向端部に据えられることを特徴とする、請求項１〜１０のいずれか一項に記載の容器。
【請求項１２】
前記長手方向（Ａ）に垂直な平面において、前記２つの上部タイロッド（６）は、６０〜１１０度、及び好ましくは７０〜９０度の角度で互いに対して配向され、前記２つの下部タイロッド（６）は、６０〜１１０度、及び好ましくは７０〜９０度の角度で互いに対して配向されることを特徴とする、請求項１０又は１１に記載の容器。
【請求項１３】
前記第３の組のタイロッド及び前記第４の組のタイロッドの前記タイロッド（６）は、それぞれが前記第２のリザーバ（３）の区分の前記半径の長さの３０〜８０％、及び好ましくは４０〜６０％の前記長さを有することを特徴とする、請求項１０〜１２のいずれか一項に記載の容器。
【請求項１４】
前記連結されたタイロッド（５、６）は、前記第２のリザーバ（３）に接続された前記タイロッド（５、６）の端部（７、１０）を中心に１０〜２０度の角度だけ枢動するように構成され、前記タイロッド（５、６）の第２の端部（８、９）の前記長手方向の１〜５０ｍｍ、具体的には３０〜４０ｍｍの移動に対応することを特徴とする、請求項１〜１３のいずれか一項に記載の容器。
【請求項１５】
前記容器は、一方は前記第２のリザーバ（３）の長手方向端部と、他方は前記第１のリザーバ（２）の前記隣接した長手方向端部、及び前記第３のリザーバ（４）又は前記第３のリザーバ（４）に固定された支持要素の一端との間に固定された堅固な接合部（１５）を有し、前記固定された堅固な接合部（１５）は、前記第２のリザーバ（３）に対して前記第１のリザーバ（２）及び前記第３のリザーバ（４）の一方の長手方向端部の少なくとも前記長手方向の動きを防ぐ一方で、前記第２のリザーバ（３）に対して前記第１のリザーバ（２）及び前記第３のリザーバ（４）の反対側の端部の長手方向の移動を可能にすることを意味することを特徴とする、請求項１〜１４のいずれか一項に記載の容器。
【請求項１６】
前記固定された堅固な接合部（１５）は、一方は前記第２のリザーバ（３）と、他方は前記第１のリザーバ（２）及び前記第３のリザーバ（４）との間に断熱経路を生成するように、前記長手方向（Ａ）に往復して延在する壁を含むことを特徴とする、請求項１５に記載の容器。
【請求項１７】
前記第２のリザーバ（３）の前記下部に接続された前記タイロッドの前記端部（１０、７）の少なくとも一部は、前記第２のリザーバ（３）に対して限定された垂直移動を弱めることができる弾性支持部（１４）上に装着されることを特徴とする、請求項１〜１６のいずれか一項に記載の容器。
【発明の詳細な説明】
【技術分野】
【０００１】
本発明は、液化ガスを保存して輸送するための容器に関する。
【０００２】
本発明は、より詳細には、液化ガス、具体的にはヘリウムなどの極低温流体を保存して輸送するための容器であって、長手方向に延在し、液化ガスを保存することを意図する第１の内部リザーバ、第１のリザーバの周りに配置された第２の外部リザーバを含み、第１のリザーバと第２のリザーバとの間に真空絶縁空間を備える、容器に関し、容器は、第１のリザーバと第２のリザーバとの間で第１のリザーバの周りに配置される第３の環状リザーバを含み、第３の環状リザーバは、第１のリザーバの少なくとも一部の周りに延在し、第１のリザーバを断熱するための熱遮蔽を形成するために液化ガスを含有し、容器は、第１のリザーバ及び第３のリザーバを第２のリザーバ内に保持するための装置を含み、保持システムは、第１のリザーバ及び第３のリザーバが温度変化によって生じた寸法変化をした時に、第２のリザーバ内の第１のリザーバ及び第３のリザーバの具体的には長手方向の移動を制限することができるように構成され、保持システムは１組のタイロッドを含む。
【背景技術】
【０００３】
液化ガス、具体的にはヘリウムの輸送は、概して真空絶縁容器、すなわち「ｉｓｏ容器」を使用する。
【０００４】
詳細には、極低温保存の熱性能基準が優れている場合のみ、長距離にわたって液体ヘリウムを輸送することが可能である。例えば容量４１，０００ｌを有する極低温容器の中への熱の侵入は、およそ４．５Ｗであるべきである。
【０００５】
放射は、熱侵入に最も大きい貢献を表す。これらの性能基準を達成するために、例えば液体窒素によって冷却された活性熱遮蔽（例えばアルミニウム又は銅）により、放射から液体ヘリウム・リザーバを保護する必要がある。例えば米国特許第５，００５，３６２号明細書を参照されたい。
【０００６】
放射流束は、窒素をゆっくりと蒸発させる。蒸発熱は、遮蔽の温度をおよそ−１９６℃に保つ。こうして蒸発した窒素は、窒素の保護を低圧、典型的には０．５バールに保つために、パイプを通して大気に排出される。液体窒素は、輸送中にこうして「消費」される。窒素リザーバは、単位時間当たりの消費量及び最大輸送時間の観点からサイズ化される。
【０００７】
容器の自立性は、この窒素の蓄えに依存する。この窒素の蓄えを増加すると、自立性は（絶縁が保証される間）増加するが、ヘリウムを保存する内部リザーバに利用可能な空間の量は低減する。４５日間の輸送に対して、窒素リザーバは典型的には１２００リットルである。７５日間の輸送を達成するために、窒素の容量は３０００リットルを超えなければならない。
【０００８】
その上、外部筐体内のこれらの要素（パイプを含む）の構造的配置は、輸送中の力又は外部筐体と内部保存リザーバ（極低温流体が充填された低温状態若しくは周囲温度における保温状態）との間の相対的寸法変化に耐えることができなければならない。
【０００９】
米国特許第２，８６３，２９７号明細書の文書には、外壁と内壁との間に挟まれた流体の蓄えを含むリザーバが記載されている。
【００１０】
しかしこの解決策は、上記の制約の全て又は一部に対処するには不適切である。
【発明の概要】
【発明が解決しようとする課題】
【００１１】
本発明の目的は、上に提示された先行技術の欠点の全て又は一部を改善することである。
【課題を解決するための手段】
【００１２】
この目標を達成するために、本発明による、或いは上の前文に与えられたその包括的定義と一致する容器は、タイロッドの少なくとも一部が、第２のリザーバに連結式に接続された第１の端部、及び第１のリザーバ又は第３のリザーバ又は前記第１のリザーバ若しくは第３のリザーバに堅固に接続された構造要素に堅固に接続された第２の端部を有し、前記連結されたタイロッドは、それぞれがタイロッドの第２の端部の２つの別個の位置を画定し、それぞれが第２のリザーバに対する第１のリザーバ及び第３のリザーバの過度の寸法変化に対応する、２つの所与の角度位置の間を可動であることを基本的に特徴とする。
【００１３】
更に本発明の実施形態は、以下の特徴の１つ又は複数を有してもよい、すなわち、
容器は、第２のリザーバに接続された第１の端部、及び第１のリザーバに堅固に接続された第２の端部を有する第１の組のタイロッドを含み、第１の組のタイロッドは複数のタイロッド、具体的には４つのタイロッドを含み、タイロッドの第１の端部は、第２のリザーバの第１の長手方向端部に据えられ、タイロッドの第２の端部は、第１のリザーバの第１の長手方向端部に接続され、
第１の組のタイロッドは、第２のリザーバの上部に接続された上部タイロッドの第１の端部、及び第１のリザーバの下部に接続された上部タイロッドの第２の端部を有する２つの上部タイロッド、並びに第２のリザーバの下部に接続された下部タイロッドの第１の端部、及び第１のリザーバの上部に接続された下部タイロッドの第２の端部を有する２つの下部タイロッドを含み、
容器は、第２のリザーバに接続された第１の端部、及び第１のリザーバに堅固に接続された第２の端部を有する第２の組のタイロッドを含み、第２の組のタイロッドは、複数のタイロッド、具体的には４つのタイロッドを含み、タイロッドの第１の端部は、第２のリザーバの第２の長手方向端部に据えられ、タイロッドの第２の端部は、第１のリザーバの第２の長手方向端部に接続され、
第２の組のタイロッドは、上部タイロッドの第１の端部が第２のリザーバの上部に接続され、上部タイロッドの第２の端部が第１のリザーバの下部に接続される２つの上部タイロッド、並びに第２のリザーバの下部に接続された下部タイロッドの第１の端部、及び第１のリザーバの上部に接続された下部タイロッドの第２の端部を有する２つの下部タイロッドを含み、
長手方向に垂直な平面において、上部タイロッドは、７０〜１３０度、及び好ましくは９０〜１２０度の角度で交差し、下部タイロッドは、７０〜１３０度、及び好ましくは９０〜１２０度の角度で交差し、
長手方向に平行な平面において、上部タイロッドは下部タイロッドと交差し、
第２のリザーバは、所与の半径をもつ長手方向に延在する円筒の全体形状を有し、第１の組のタイロッド及び第２の組のタイロッドのタイロッドは、それぞれが前記半径の長さの８０〜１５０％、及び好ましくは９０〜１２０％の長さを有し、
容器は、第３の組のタイロッド、具体的には４つのタイロッドを含み、タイロッドは、第２のリザーバに接続された第１の端部、及び第３のリザーバ又は第３のリザーバに堅固に接続された支持部に接続された第２の端部を有し、第３の組のタイロッドの第１の端部は、第２のリザーバの第１の長手方向端部に据えられ、前記タイロッドの第２の端部は、容器の第１の長手方向端部に据えられ、
第３の組のタイロッドは、上部タイロッドの第１の端部が第２のリザーバの上部に据えられ、上部タイロッドの第２の端部が第１のリザーバの上部に据えられる２つの上部タイロッド、及び下部タイロッドの第１の端部が第２のリザーバの下部に接続され、下部タイロッドの第２の端部が第１のリザーバの下部に据えられる２つの下部タイロッドを含み、
容器は、第４の組のタイロッド、具体的には４つのタイロッドを含み、タイロッドは、第２のリザーバに接続された第１の端部、及び第３のリザーバ又は第３のリザーバに堅固に接続された支持部に接続された第２の端部を有し、第３の組のタイロッドの第１の端部は、第２のリザーバの第２の長手方向端部に据えられ、前記タイロッドの第２の端部は、容器の第２の長手方向端部に据えられ、
長手方向に垂直な平面において、２つの上部タイロッドは、６０〜１１０度、及び好ましくは７０〜９０度の角度で互いに対して配向され、２つの下部タイロッドは、６０〜１１０度、及び好ましくは７０〜９０度の角度で互いに対して配向され、
第３の組のタイロッド及び第４の組のタイロッドのタイロッドは、それぞれが第２のリザーバの区分の半径の長さの３０〜８０％、及び好ましくは４０〜６０％の長さを有し、
連結されたタイロッドは、第２のリザーバに接続されたタイロッドの端部を中心に１０〜２０度の角度だけ枢動するように構成され、タイロッドの第２の端部の長手方向の１〜５０ｍｍ、具体的には３０〜４０ｍｍの移動に対応し、
容器は、一方は第２のリザーバの長手方向端部と、他方は第１のリザーバの隣接した長手方向端部、及び第３のリザーバ又は第３のリザーバに固定された支持要素の一端との間に固定された堅固な接合部を有し、固定された堅固な接合部は、第２のリザーバに対して第１のリザーバ及び第３のリザーバの一方の長手方向端部の少なくとも長手方向の動きを防ぐ一方で、第２のリザーバに対して第１のリザーバ及び第３のリザーバの反対側の端部の長手方向の移動を可能にすることを意味し、
固定された堅固な接合部は、一方は第２のリザーバと、他方は第１のリザーバ及び第３のリザーバとの間に断熱経路を生成するように、長手方向に往復して延在する壁を含み、
第２のリザーバの下部に接続されたタイロッドの端部の少なくとも一部は、第２のリザーバに対して限定された垂直移動を弱めることができる弾性支持部上に装着され、
容器は、第３のリザーバに熱的接続され、第１のリザーバと第２のリザーバとの間でリザーバの端部に配置された１つ又は複数の遮蔽壁を含み、
遮蔽壁は、第３のリザーバ及び遮蔽壁によって形成された遮蔽内に第１のリザーバを閉囲するように、第３のリザーバの各長手方向端部にカバーを形成し、
タイロッドの少なくとも１つは、開口部を介して遮蔽壁を通過し、
第３のリザーバは、スペーサによって離間され、２つの長手方向端部で閉鎖される２つの同心円柱壁によって区切られ、
スペーサは、長手方向に延在する壁を有し、
２つの同心円柱壁及びスペーサ（１６）は、押出成形によって生成される。
【００１４】
本発明は、特許請求の範囲内の上記若しくは下記の特徴のあらゆる組合せを含む、あらゆる代替装置又は工程にも関することがある。
【００１５】
他の具体的な特徴及び利点は、図面を参照して与えられた以下の説明を読むと明らかになろう。
【図面の簡単な説明】
【００１６】
【図１】本発明による容器の構造の例を例示する、長手方向断面における概略部分図を示す。
【図２】容器の一方の長手方向端部の概略部分断面図を示す。
【図３】容器の一方の長手方向端部の概略部分断面図を示す。
【図４】容器の一方の長手方向端部の概略部分断面図を示す。
【図５】図１を拡大した詳細の可能な例示的実施形態を例示する、長手方向断面における概略部分図を示す。
【図６】図５を拡大した詳細の可能な例示的実施形態を例示する、長手方向断面における概略部分図を示す。
【図７】図１からのリザーバの断面における拡大した詳細の可能な例示的実施形態を例示する、概略部分斜視図を示す。
【図８】図１からのリザーバの断面における拡大した詳細の可能な例示的実施形態を例示する、概略部分斜視図を示す。
【発明を実施するための形態】
【００１７】
図に例示された液化ガス、具体的にはヘリウムなどの極低温流体を保存して輸送するための容器１は、好ましくは使用位置に水平な長手方向Ａに延在する、円筒の全体形状を有する。
【００１８】
この容器１は、第１の内部リザーバ２を含み、好ましくは長手方向Ａに延在する円筒の全体形状を有する。
【００１９】
この第１のリザーバ２、すなわち内部リザーバは、液化ガス（ヘリウム又は他の極低温ガス／流体混合物）を保存することを意図する。
【００２０】
第１のリザーバ２の壁は、例えば金属材料、例えばオーステナイト系ステンレス鋼又はあらゆる他の適切な材料で作成される。
【００２１】
容器１は、第１のリザーバ１の周りに配置された第２のリザーバ３、すなわち「外部」筐体を含み、第１のリザーバ２と第２のリザーバ３（及び１つ又は複数の層の絶縁材料）との間に真空絶縁空間を備える。
【００２２】
第２のリザーバ３は、例えば円筒の全体形状を有し、第１のリザーバ１を中心に同心であってもよい。
【００２３】
第２のリザーバ３の壁は、例えば金属材料、例えば鋼若しくはオーステナイト系ステンレス鋼又はあらゆる他の適切な材料で作成される。
【００２４】
容器１は、第１のリザーバ２と第２のリザーバ３との間で第１のリザーバ２の周りに配置された第３のリザーバ４を含む。
【００２５】
第３のリザーバ４（第３のリザーバ４は、長手方向Ａに垂直な断面が例えば環状である）は、第１のリザーバ２の少なくとも一部の周りに長手方向Ａに延在する。好ましくは、この第３のリザーバ４は円筒形状を有し、第１のリザーバ２を中心に同心に配置することができる。この第３のリザーバ４、すなわち中間リザーバは、第１のリザーバ２の断熱を確保する熱遮蔽を形成するために、液化ガス、例えば窒素を含有することを意図する。
【００２６】
例えば第３のリザーバ４は、同心に（異なる直径で）離間され、隔壁によってそれらの端部で接続されて閉鎖される、２つの円筒シェルを含んでもよく、又は２つの円筒シェルから作られてもよい。これらの２つの円筒壁は、こうして液体窒素を保存し、第１のリザーバ２のための熱遮蔽として作用する、二重機能を有する環状容積を形成する。
【００２７】
小さい環状高さ、例えば４０ｍｍについては、こうして生成された容積は、４０フィート（ほぼ１２メートル）のＩＳＯ容器に対して３１００リットルであることが可能である。
【００２８】
好ましくは、容器１は、第３のリザーバ４に熱的に接続され、第１のリザーバ２と第２のリザーバ３との間でリザーバの端部に配置される、１つ又は複数の遮蔽壁１１、１２も含む。
【００２９】
これらの壁１１、１２（例えばアルミニウム若しくは銅板）は、第１のリザーバ２の周りの遮蔽を閉鎖するために、容器の端部又は底部にカバーを形成する。これらの板は、第３のリザーバ４によって「熱平衡化」される（つまり冷却される）。
【００３０】
容器１は、第２のリザーバ３内に第１のリザーバ２及び第３のリザーバ４を保持するための装置を含む。
【００３１】
保持システムは、第２のリザーバ３内で第１のリザーバ２及び第３のリザーバ４を支持／懸架する。
【００３２】
この保持システムは、第１のリザーバ２及び第３のリザーバ４が寸法変化（高温又は低温状態での拡大／収縮）をする時に、第２のリザーバ３内の第１のリザーバ２及び第３のリザーバ４の具体的には長手方向Ａの移動を制限することができるように構成される。
【００３３】
図に見られるように、保持システムは、１組のタイロッド５、６を含み、タイロッド５、６の少なくとも一部は、第２のリザーバ３に連結式に接続された第１の端部７、及び第１のリザーバ２或いは第３のリザーバ４に（又は前記第１のリザーバ２若しくは第３のリザーバ４に堅固に接合された構造要素に）堅固に接続された第２の端部８、９を有する。
【００３４】
図１に概略的に描かれたように、連結されたタイロッド５、６は、それぞれがタイロッドの第２の端部８、９の２つの別個の位置を画定する２つの所与の角度位置の間を可動である。これらの２つの位置は、それぞれが第２のリザーバ３に対する第１のリザーバ２及び第３のリザーバ４の過度の寸法変化、具体的には長手方向の変化に対応する。
【００３５】
図１に見られるように、容器１は、一方は第２のリザーバ３の長手方向端部の一方と、他方は第１のリザーバ２の隣接した長手方向端部、及び第３のリザーバ４又は第３のリザーバ４に固定された支持要素の一端との間に固定された堅固な接合部１５を有することができる。これは、固定された堅固な接合部１５が、第２のリザーバ３に対して第１のリザーバ２及び第３のリザーバ４の一方の長手方向端部の長手方向の動きを防ぐ一方で、第２のリザーバ３に対して第１のリザーバ２及び第３のリザーバ４の反対側の端部の長手方向の移動が可能であることを意味する。
【００３６】
従ってこの場合、連結された７タイロッド５、６は、好ましくは少なくとも長手方向のこの程度の自由を有する他端（固定された接合部１５の反対側）に据えられる。
【００３７】
保持システムは、第２のリザーバ３に接続された第１の端部７、及び第１のリザーバ２に堅固に接続された第２の端部８を有する、第１の組のタイロッド５を有することができる。この第１の組のタイロッド５は、複数のタイロッド５、具体的には４つのタイロッド５を含み、タイロッド５の第１の端部７は、第２のリザーバ３の第１の長手方向端部（例えば図１の左端）に据えられ、タイロッド５の第２の端部８は第１のリザーバ２の第１の長手方向端部（図１の左端）に接続される。
【００３８】
図４に例示されたように、例えば第１の組のタイロッド５は、第２のリザーバ３の上部に接続された上部タイロッド５の第１の端部７、及び第１のリザーバ２の下部に接続された上部タイロッド５の第２の端部８を有する、２つの上部タイロッド５を含んでもよい。加えて他方の下部タイロッド５は、第２のリザーバ３の下部に接続された下部タイロッド５の第１の端部７、及び第１のリザーバ２の上部に接続された下部タイロッド５の第２の端部８を有してもよい。
【００３９】
上部及び下部は、それらがリザーバ２若しくは容器１の中心長手方向軸Ａの上に置かれているか、又は下に置かれているかに応じて画定されてもよい。
【００４０】
図２の変形では、下部タイロッド５は、第１のリザーバ２の下部又は中心部に接続された下部タイロッド５の第２の端部８を有し、上部タイロッド５は、第１のリザーバ２の上部又は中心部に接続された上部タイロッド５の第２の端部８を有する。
【００４１】
第２のリザーバ３は、好ましくは例えば９０〜１２１．９ｃｍの所与の半径をもつ、長手方向Ａに延在する円筒の全体形状を有する。第１の組のタイロッド又は第２の組のタイロッドのタイロッド５は、それぞれが好ましくは前記半径の長さの８０〜１５０％、及び好ましくは９０〜１３０％の長さを有する。
【００４２】
図１に見られるように、側面視で、上部タイロッド５は、好ましくは下部タイロッド５と（長手方向に平行な平面において）交差する。
【００４３】
図１又は図２に概略的に描かれたように、タイロッド５の第２の端部８は、熱経路を延ばす第１のリザーバ２への接合部を確保するために、金属シース又は管１８内に収納されてもよい。これは、各管１８が第１のリザーバ２に固定される（例えば溶接される）が、タイロッド５の第２の端部８のその管１８への固定部は、熱経路を延ばすために、管とリザーバ２との間の固定部に対してずれていることを意味する。
【００４４】
例えば各タイロッド５の第２の端部８は、シース又は管にボルトで固定され（若しくはあらゆる他の適切な方法で固定され）、シース又は管は、それ自体が第１のリザーバ２に溶接される（若しくは同種の方法で固定される）。加えて図１に見られるように、タイロッド５のこれらの第２の端部８は、第１のリザーバ１の端部に固定された環又はリングに固定することができる。
【００４５】
図２に例示されたように（図２は単純化するために第１の組のタイロッド５のみを示す）長手方向Ａに垂直な平面において、上部タイロッド５は、７０〜１３０度、及び好ましくは９０〜１２０度の角度Ｂで交差してもよい。同様に下部タイロッド５は、７０〜１３０度、及び好ましくは９０〜１２０度の角度で交差してもよい。図４も参照されたい。
【００４６】
好ましくはこの第１の組のタイロッド５は、（具体的には固定された接合部１５の場合に）第２のリザーバ３に対して第１のリザーバ２の第１の端部の固定された保持（若しくは動きに低い耐性）を確保するように、連結されず又は弱く連結される。
【００４７】
容器１は、容器１の他方の長手方向端部（図１の右）において第１の組と同じ種類の第２の組のタイロッド５を含む。第２の組のこれらのタイロッド５は、第２のリザーバ３に接続された第１の端部７、及び第１のリザーバ２に堅固に接続された第２の端部８を有する。この第２の組のタイロッド５は、複数のタイロッド５、具体的には４つのタイロッド５を含み、タイロッド５の第１の端部７は、第２のリザーバ３の第２の長手方向端部に据えられる。タイロッド５の第２の端部８は、（上のように好ましくは第１のリザーバ２の端部に固定された環又は管を介して）第１のリザーバ２の第２の長手方向端部に接続される。
【００４８】
第２の組のタイロッド５のタイロッドは、第１の組のタイロッド５と同様に配置されてもよい（図２又は４及び上の説明を参照されたい）。
【００４９】
容器１の各長手方向端部では、タイロッド５の第２の端部８は、第１のリザーバ２又は第１のリザーバ２に固定された首部に接続することができる。
【００５０】
加えて好ましくは、第２の組のタイロッド５の端部７は、具体的には第１のリザーバ２の第２の端部の長手方向の移動を可能にするように連結される（図１に破線によって示された収縮位置を参照されたい）。
【００５１】
図１、図３及び図４に見られるように、容器１は、第２のリザーバ３に接続された第１の端部１０、及び第３のリザーバ４に堅固に接続された支持部１１、１２、１３を介して第３のリザーバ４に接続された第２の端部９を有する、第３の組のタイロッド６、具体的には４つのタイロッド６を含む。図３及び図４に見られるように、第３の組のタイロッド６の第１の端部１０は、第２のリザーバ３の第１の長手方向端部に据えられる。前記タイロッド６の第２の端部９は、容器１の第１の長手方向端部に据えられる。
【００５２】
第３の組のタイロッド６は、好ましくは２つの上部タイロッド６を含み、上部タイロッド６の第１の端部１０は、第２のリザーバ３の上部に据えられ、上部タイロッド６の第２の端部９は、第１のリザーバ２の上部に据えられる（図３及び図４を参照されたい）。２つの下部タイロッド６は、好ましくは第２のリザーバ３の下部に接続された第１の端部１０、及び第１のリザーバ２の下部に据えられた第２の端部９を有する。
【００５３】
好ましくは長手方向Ａに垂直な平面において（図３又は図４を参照されたい）、２つの上部タイロッド６は、６０〜１１０度、及び好ましくは７０〜９０度の角度で互い対して配向され、２つの下部タイロッド６は、６０〜１１０度、及び好ましくは６０〜９０度の角度で互い対して配向される。
【００５４】
容器１は、容器１の他端に第４の組のタイロッド６を含み、これは第３の組と同じ構成に配置されてもよい（上記並びに図３及び図４を参照されたい）。
【００５５】
第３の組のタイロッド及び第４の組のタイロッドのタイロッド６は、それぞれが第２のリザーバ３の区分の半径の長さの３０〜８０％、及び好ましくは４０〜６０％の長さを有する。
【００５６】
こうして２つの内部リザーバ２、４は、容器１の２つの端部に据えられたタイロッド５、６を介して第１の外部リザーバ１内に運ばれて懸架される。
【００５７】
図１に例示されたように、第３のリザーバ４を支持するタイロッド６の第２の端部は、遮蔽壁１１、１２を介して第３のリザーバ４に固定された環１３又は板に接続することができる。
【００５８】
これは、タイロッド６の第２の端部９がそれぞれの環１３に接続することができ、環１３が遮蔽壁１１、１２のために支持部も形成することを意味する。
【００５９】
加えて図４に見られるように、タイロッド５、６の全て又は一部は、それぞれの開口１７を介してこれらの遮蔽壁１１、１２を通過することができる。
【００６０】
更なるタイロッド又は保持／支持部材が、任意選択で容器１のこれらの２つの端部間に提供される可能性があり得る。
【００６１】
連結されたタイロッド５、６（第１及び第３のリザーバの自由端部における）は、第２のリザーバ３に接続されたタイロッド５、６の端部７、１０を中心に例えば１０〜２０度の角度だけ枢動するように構成され、タイロッド５、６の第２の端部８、９の長手方向の例えば１〜５０ｍｍ、及び具体的には３０〜４０ｍｍ（約１２メートルの長さを有する容器に対して）の移動に対応する。
【００６２】
一方の長手方向端部に固定された堅固な接合部１５の場合、これは、第２のリザーバ３に対する第１のリザーバ２及び第３のリザーバ４の一方の長手方向端部の長手方向の動きを防ぐ一方で、第２のリザーバ３に対する第１のリザーバ２及び第３のリザーバ４の反対側の長手方向端部の長手方向の移動を可能にする。この移動は、連結されたタイロッド５、６を介して可能になる。
【００６３】
加えて好ましくは第２のリザーバ３の下部に接続されたタイロッド５、６の端部１０及び７の少なくとも一部は、第２のリザーバ３に対して限定された垂直移動を弱めることができる、それぞれの弾性支持部１４上に装着される。これらの弾性支持部１４は、例えば大量の皿バネ、ダンパ、バネ又はあらゆる他の適切な部材を含んでもよい。
【００６４】
従来固定された堅固な接合部１５は、一方は第２のリザーバ３と、他方は第１のリザーバ２及び第３のリザーバ４との間に断熱経路を生成するように、長手方向Ａに往復して延在する管状壁を含んでもよい（例えば独国特許出願公開第１０２０１４２０６３７０Ａ１号明細書を参照されたい）。この熱経路は、熱経路上にエポキシ／ガラス複合体又は同種のものから作成された管を含んでもよい。
【００６５】
図６に概略的に描かれたように、第２のリザーバ３と第１のリザーバ２との間で軸に固定された接合部１５（長手方向Ａに）は、（例えばエポキシ／ガラス複合体又はチタニウムなどの金属から作成された）壁２５を含んでもよく、壁２５の一端１２５は、第１のリザーバ２に固定された長手方向停止部２２５によって長手方向に遮断される。長手方向停止部２２５は、例えば２つの構成要素の相対回転を防ぐ固定フランジである。
【００６６】
図７及び図８に例示されたように、第３のリザーバ４を区切る２つの円筒壁は、２つの円筒壁を互いから分離するスペーサ又は補強材を含んでもよい。これにより、圧力の効果の均衡を保つことにより、且つアセンブリを特定の軸方向に（長手方向Ａに）増強することにより、壁又はシェルの厚さを最小にすることが可能になる。円筒部の歪みは、液体窒素を完全に充填した時に取扱い中に加速度４ｇで数ミリメートルである。蒸発した窒素は、管を通して大気に排出することができる。但し管は単純化するために示されていない。その中の圧力は、オーバーフロー弁により典型的には０．５バールに維持することができる。この第３の環状リザーバ４は、注入管及び弁に接続された安全線も具備してもよい。
【００６７】
図７及び図８に見られるように、且つこれを限定することなく、スペーサ１６又は補強材は、長手方向Ａに延在することができる。この構成により、具体的には押出成形によって２つの壁及びそのスペーサを製造することが可能になる。
【００６８】
こうして単純で安価な構造を有する一方で、容器１は、窒素の容積を４０ｍｍの環状高さ（第３のリザーバ４の２つの同心壁の間の距離）で例えば１２００から３０００リットルに増加することが可能になる。この構成は、第１のリザーバ２の容積の低減を最小にする。
【００６９】
ハイパースタティック支持構造は、道路輸送の場合の後軸上の過充填又は取り扱い中の不均衡を避けるように、第３のリザーバ４の質量を均一に分配することができる。
【００７０】
この建築様式は、非常に良好な熱化を確実にすることができる（冷却回路は必要ない）。この設計は、窒素の量が非常に少ない行程の最後であっても機能する。熱の侵入は、シェル４を通して液体窒素に伝導によって伝達される。蒸発率が低く、第３のリザーバ４の上部の温度が増加した状態で、冷却回路が故障する危険はない。
【００７１】
第３のリザーバ４の２つの円筒壁（シェル）は、連続した２つの熱遮蔽として作用する。外壁は、第２のリザーバ３に由来する熱流束を受領する。内壁は、例えば９０Ｋに近い温度を有する外壁から熱流束を受領する。これは、第１のリザーバ２に向かう熱流束を低減する（例えば４Ｋ）。
【００７２】
ハイパースタティック支持及び保持構造は、質量の良好な分布、拡大及び収縮が可能な保持部、並びに輸送中の一体化を可能にする。
【００７３】
第３のリザーバ４（及び遮蔽壁１１、１２）は、第２のリザーバ３の壁からタイロッド６を介して自立することができる堅固なアセンブリである。これにより、壁間絶縁の圧縮を避けることが可能になる。従ってこれは、熱欠陥を回避し、絶縁体のガス抜きを改善し、絶縁材料の局所の圧縮を回避する。
【００７４】
遮蔽を形成する第３のリザーバ４は、第１のリザーバ２の周りに配置された絶縁体上に直接支承されてもよい。この絶縁体（図示せず）は、従来使用されている絶縁材料の層を含んでもよい。
【００７５】
容器は、その輸送を可能にする平行六面体の枠内に収納（固定）することができる。
【図１】
2021515151.tif 000003
【図２】
2021515151.tif 000004
【図３】
2021515151.tif 000005
【図４】
2021515151.tif 000006
【図５】
2021515151.tif 000007
【図６】
2021515151.tif 000008
【図７】
2021515151.tif 000009
【図８】
2021515151.tif 000010
【手続補正書】
【提出日】令和2年9月9日(2020.9.9)
【手続補正１】
【補正対象書類名】特許請求の範囲
【補正対象項目名】請求項１１
【補正方法】変更
【補正の内容】
【請求項１１】
前記容器は、第４の組のタイロッド（６）、具体的には４つのタイロッド（６）を含み、前記タイロッド（６）は、前記第２のリザーバ（３）に接続された第１の端部（１０）、及び前記第３のリザーバ（４）又は前記第３のリザーバ（４）に堅固に接続された支持部（１１、１２、１３）に接続された第２の端部（９）を有し、前記第４の組の前記タイロッド（６）の前記第１の端部（１０）は、前記第２のリザーバ（３）の前記第２の長手方向端部に据えられ、前記タイロッド（６）の前記第２の端部（９）は、前記第２のリザーバの前記第２の長手方向端部に据えられることを特徴とする、請求項１〜１０のいずれか一項に記載の容器。
【手続補正２】
【補正対象書類名】明細書
【補正対象項目名】００１３
【補正方法】変更
【補正の内容】
【００１３】
更に本発明の実施形態は、以下の特徴の１つ又は複数を有してもよい、すなわち、
容器は、第２のリザーバに接続された第１の端部、及び第１のリザーバに堅固に接続された第２の端部を有する第１の組のタイロッドを含み、第１の組のタイロッドは複数のタイロッド、具体的には４つのタイロッドを含み、タイロッドの第１の端部は、第２のリザーバの第１の長手方向端部に据えられ、タイロッドの第２の端部は、第１のリザーバの第１の長手方向端部に接続され、
第１の組のタイロッドは、第２のリザーバの上部に接続された上部タイロッドの第１の端部、及び第１のリザーバの下部に接続された上部タイロッドの第２の端部を有する２つの上部タイロッド、並びに第２のリザーバの下部に接続された下部タイロッドの第１の端部、及び第１のリザーバの上部に接続された下部タイロッドの第２の端部を有する２つの下部タイロッドを含み、
容器は、第２のリザーバに接続された第１の端部、及び第１のリザーバに堅固に接続された第２の端部を有する第２の組のタイロッドを含み、第２の組のタイロッドは、複数のタイロッド、具体的には４つのタイロッドを含み、タイロッドの第１の端部は、第２のリザーバの第２の長手方向端部に据えられ、タイロッドの第２の端部は、第１のリザーバの第２の長手方向端部に接続され、
第２の組のタイロッドは、上部タイロッドの第１の端部が第２のリザーバの上部に接続され、上部タイロッドの第２の端部が第１のリザーバの下部に接続される２つの上部タイロッド、並びに第２のリザーバの下部に接続された下部タイロッドの第１の端部、及び第１のリザーバの上部に接続された下部タイロッドの第２の端部を有する２つの下部タイロッドを含み、
長手方向に垂直な平面において、上部タイロッドは、７０〜１３０度、及び好ましくは９０〜１２０度の角度で交差し、下部タイロッドは、７０〜１３０度、及び好ましくは９０〜１２０度の角度で交差し、
長手方向に平行な平面において、上部タイロッドは下部タイロッドと交差し、
第２のリザーバは、所与の半径をもつ長手方向に延在する円筒の全体形状を有し、第１の組のタイロッド及び第２の組のタイロッドのタイロッドは、それぞれが前記半径の長さの８０〜１５０％、及び好ましくは９０〜１２０％の長さを有し、
容器は、第３の組のタイロッド、具体的には４つのタイロッドを含み、タイロッドは、第２のリザーバに接続された第１の端部、及び第３のリザーバ又は第３のリザーバに堅固に接続された支持部に接続された第２の端部を有し、第３の組のタイロッドの第１の端部は、第２のリザーバの第１の長手方向端部に据えられ、前記タイロッドの第２の端部は、容器の第１の長手方向端部に据えられ、
第３の組のタイロッドは、上部タイロッドの第１の端部が第２のリザーバの上部に据えられ、上部タイロッドの第２の端部が第１のリザーバの上部に据えられる２つの上部タイロッド、及び下部タイロッドの第１の端部が第２のリザーバの下部に接続され、下部タイロッドの第２の端部が第１のリザーバの下部に据えられる２つの下部タイロッドを含み、
容器は、第４の組のタイロッド、具体的には４つのタイロッドを含み、タイロッドは、第２のリザーバに接続された第１の端部、及び第３のリザーバ又は第３のリザーバに堅固に接続された支持部に接続された第２の端部を有し、第４の組のタイロッドの第１の端部は、第２のリザーバの第２の長手方向端部に据えられ、前記タイロッドの第２の端部は、容器の第２の長手方向端部に据えられ、
長手方向に垂直な平面において、２つの上部タイロッドは、６０〜１１０度、及び好ましくは７０〜９０度の角度で互いに対して配向され、２つの下部タイロッドは、６０〜１１０度、及び好ましくは７０〜９０度の角度で互いに対して配向され、
第３の組のタイロッド及び第４の組のタイロッドのタイロッドは、それぞれが第２のリザーバの区分の半径の長さの３０〜８０％、及び好ましくは４０〜６０％の長さを有し、
連結されたタイロッドは、第２のリザーバに接続されたタイロッドの端部を中心に１０〜２０度の角度だけ枢動するように構成され、タイロッドの第２の端部の長手方向の１〜５０ｍｍ、具体的には３０〜４０ｍｍの移動に対応し、
容器は、一方は第２のリザーバの長手方向端部と、他方は第１のリザーバの隣接した長手方向端部、及び第３のリザーバ又は第３のリザーバに固定された支持要素の一端との間に固定された堅固な接合部を有し、固定された堅固な接合部は、第２のリザーバに対して第１のリザーバ及び第３のリザーバの一方の長手方向端部の少なくとも長手方向の動きを防ぐ一方で、第２のリザーバに対して第１のリザーバ及び第３のリザーバの反対側の端部の長手方向の移動を可能にすることを意味し、
固定された堅固な接合部は、一方は第２のリザーバと、他方は第１のリザーバ及び第３のリザーバとの間に断熱経路を生成するように、長手方向に往復して延在する壁を含み、
第２のリザーバの下部に接続されたタイロッドの端部の少なくとも一部は、第２のリザーバに対して限定された垂直移動を弱めることができる弾性支持部上に装着され、
容器は、第３のリザーバに熱的接続され、第１のリザーバと第２のリザーバとの間でリザーバの端部に配置された１つ又は複数の遮蔽壁を含み、
遮蔽壁は、第３のリザーバ及び遮蔽壁によって形成された遮蔽内に第１のリザーバを閉囲するように、第３のリザーバの各長手方向端部にカバーを形成し、
タイロッドの少なくとも１つは、開口部を介して遮蔽壁を通過し、
第３のリザーバは、スペーサによって離間され、２つの長手方向端部で閉鎖される２つの同心円柱壁によって区切られ、
スペーサは、長手方向に延在する壁を有し、
２つの同心円柱壁及びスペーサ（１６）は、押出成形によって生成される。
【手続補正３】
【補正対象書類名】明細書
【補正対象項目名】００３６
【補正方法】変更
【補正の内容】
【００３６】
従ってこの場合、連結されたタイロッド５、６は、好ましくは少なくとも長手方向のこの程度の自由を有する他端（固定された接合部１５の反対側）に据えられる。
【手続補正４】
【補正対象書類名】明細書
【補正対象項目名】００７５
【補正方法】変更
【補正の内容】
【００７５】
容器は、その輸送を可能にする平行六面体の枠内に収納（固定）することができる。
以下に、出願当初の特許請求の範囲に記載の事項を、そのまま、付記しておく。
［１］  液化ガス、具体的にはヘリウムなどの極低温流体を保存して輸送するための容器であって、長手方向（Ａ）に延在し、前記液化ガスを保存することを意図する第１の内部リザーバ（２）、前記第１のリザーバ（２）の周りに配置された第２の外部リザーバ（３）を含み、前記第１のリザーバ（２）と前記第２のリザーバ（３）との間に真空絶縁空間を備え、前記容器は、前記第１のリザーバ（２）と前記第２のリザーバ（３）との間で、前記第１のリザーバ（２）の周りに配置された第３の環状リザーバ（４）を含み、前記第３のリザーバ（４）は、前記第１のリザーバ（２）の少なくとも一部の周りに延在し、前記第１のリザーバ（２）を断熱するための熱遮蔽を形成するために液化ガスを含有し、前記容器（１）は、前記第２のリザーバ（３）内に前記第１のリザーバ（２）及び前記第３のリザーバ（４）を保持するための装置を含み、前記保持システムは、前記第１のリザーバ（２）及び前記第３のリザーバ（４）が温度変化によって生じた寸法変化をした時に、前記第２のリザーバ（３）内の前記第１のリザーバ（２）及び前記第３のリザーバ（４）の具体的には前記長手方向（Ａ）の移動を制限することができるように構成され、前記保持システムは１組のタイロッド（５、６）を含み、前記タイロッド（５、６）の少なくとも一部は、前記第２のリザーバ（３）に連結式に接続された第１の端部（７）、及び前記第１のリザーバ（２）又は前記第３のリザーバ（４）又は前記第１のリザーバ（２）若しくは前記第３のリザーバ（４）に堅固に接続された構造要素に堅固に接続された第２の端部（８、９）を有し、前記連結されたタイロッド（５、６）は、それぞれが前記タイロッドの前記第２の端部（８、９）の２つの別個の位置を画定し、それぞれが前記第２のリザーバ（３）に対する前記第１のリザーバ（２）及び前記第３のリザーバ（４）の過度の寸法変化に対応する、２つの所与の角度位置の間を可動であることを特徴とする、容器。
［２］  前記容器は、前記第２のリザーバ（３）に接続された第１の端部（７）、及び前記第１のリザーバ（２）に堅固に接続された第２の端部（８）を有する第１の組のタイロッド（５）を含み、前記第１の組のタイロッド（５）は複数のタイロッド（５）、具体的には４つのタイロッド（５）を含み、前記タイロッド（５）の前記第１の端部（７）は、前記第２のリザーバ（３）の第１の長手方向端部に据えられ、前記タイロッド（５）の前記第２の端部（８）は、前記第１のリザーバ（２）の第１の長手方向端部に接続されることを特徴とする、［１］に記載の容器。
［３］  前記第１の組のタイロッド（５）は、前記第２のリザーバ（３）の前記上部に接続された上部タイロッド（５）の第１の端部（７）、及び前記第１のリザーバ（２）の前記下部に接続された前記上部タイロッド（５）の第２の端部（８）を有する２つの上部タイロッド（５）、並びに前記第２のリザーバ（３）の前記下部に接続された下部タイロッド（５）の第１の端部（７）、及び前記第１のリザーバ（２）の前記上部に接続された前記下部タイロッド（５）の第２の端部（８）を有する２つの下部タイロッド（５）を含むことを特徴とする、［２］に記載の容器。
［４］  前記容器は、前記第２のリザーバ（３）に接続された第１の端部（７）、及び前記第１のリザーバ（２）に堅固に接続された第２の端部（８）を有する第２の組のタイロッド（５）を含み、前記第２の組のタイロッド（５）は、複数のタイロッド（５）、具体的には４つのタイロッド（５）を含み、前記タイロッド（５）の前記第１の端部（７）は、前記第２のリザーバ（３）の第２の長手方向端部に据えられ、前記タイロッド（５）の前記第２の端部（８）は、前記第１のリザーバ（２）の前記第２の長手方向端部に接続されることを特徴とする、［２］又は［３］のいずれか一項に記載の容器。
［５］  前記第２の組のタイロッド（５）は、上部タイロッド（５）の前記第１の端部（７）が前記第２のリザーバ（３）の前記上部に接続され、前記上部タイロッド（５）の前記第２の端部（８）が前記第１のリザーバ（２）の前記下部に接続される２つの上部タイロッド（５）、並びに前記第２のリザーバ（３）の前記下部に接続された下部タイロッド（５）の第１の端部（７）、及び前記第１のリザーバ（２）の前記上部に接続された前記下部タイロッド（５）の第２の端部（８）を有する２つの下部タイロッド（５）を含むことを特徴とする、［４］に記載の容器。
［６］  前記長手方向（Ａ）に垂直な平面において、前記上部タイロッド（５）は、７０〜１３０度、及び好ましくは９０〜１２０度の角度で交差し、前記下部タイロッド（５）は、７０〜１３０度、及び好ましくは９０〜１２０度の角度で交差することを特徴とする、［３］又は［５］に記載の容器。
［７］  前記長手方向（Ａ）に平行な平面において、前記上部タイロッド（５）は、前記下部タイロッド（５）と交差することを特徴とする、［３］、［５］又は［６］に記載の容器。
［８］  前記第２のリザーバ（３）は、所与の半径をもつ前記長手方向（Ａ）に延在する円筒の全体形状を有し、前記第１の組のタイロッド及び前記第２の組のタイロッドの前記タイロッド（５）は、それぞれが前記半径の長さの８０〜１５０％、及び好ましくは９０〜１２０％の前記長さを有することを特徴とする、［２］〜［７］のいずれか一項に記載の容器。
［９］  前記容器は、第３の組のタイロッド（６）、具体的には４つのタイロッド（６）を含み、前記タイロッド（６）は、前記第２のリザーバ（３）に接続された第１の端部（１０）、及び前記第３のリザーバ（４）又は前記第３のリザーバ（４）に堅固に接続された支持部（１１、１２、１３）に接続された第２の端部（９）を有し、前記第３の組の前記タイロッド（６）の前記第１の端部（１０）は、前記第２のリザーバ（３）の前記第１の長手方向端部に据えられ、前記タイロッド（６）の前記第２の端部（９）は、前記第２のリザーバの前記第１の長手方向端部に据えられることを特徴とする、［１］〜［８］のいずれか一項に記載の容器。
［１０］  前記第３の組のタイロッド（６）は、上部タイロッド（６）の前記第１の端部（１０）が前記第２のリザーバ（３）の前記上部に据えられ、前記上部タイロッド（６）の前記第２の端部（９）が前記第１のリザーバ（２）の前記上部に据えられる２つの上部タイロッド（６）、及び下部タイロッド（６）の前記第１の端部（１０）が前記第２のリザーバ（３）の前記下部に接続され、前記下部タイロッド（６）の前記第２の端部（９）が前記第１のリザーバ（２）の前記下部に据えられる２つの下部タイロッド（６）を含むことを特徴とする、［９］に記載の容器。
［１１］  前記容器は、第４の組のタイロッド（６）、具体的には４つのタイロッド（６）を含み、前記タイロッド（６）は、前記第２のリザーバ（３）に接続された第１の端部（１０）、及び前記第３のリザーバ（４）又は前記第３のリザーバ（４）に堅固に接続された支持部（１１、１２、１３）に接続された第２の端部（９）を有し、前記第３の組の前記タイロッド（６）の前記第１の端部（１０）は、前記第２のリザーバ（３）の前記第２の長手方向端部に据えられ、前記タイロッド（６）の前記第２の端部（９）は、前記第２のリザーバの前記第２の長手方向端部に据えられることを特徴とする、［１］〜［１０］のいずれか一項に記載の容器。
［１２］  前記長手方向（Ａ）に垂直な平面において、前記２つの上部タイロッド（６）は、６０〜１１０度、及び好ましくは７０〜９０度の角度で互いに対して配向され、前記２つの下部タイロッド（６）は、６０〜１１０度、及び好ましくは７０〜９０度の角度で互いに対して配向されることを特徴とする、［１０］又は［１１］に記載の容器。
［１３］  前記第３の組のタイロッド及び前記第４の組のタイロッドの前記タイロッド（６）は、それぞれが前記第２のリザーバ（３）の区分の前記半径の長さの３０〜８０％、及び好ましくは４０〜６０％の前記長さを有することを特徴とする、［１０］〜［１２］のいずれか一項に記載の容器。
［１４］  前記連結されたタイロッド（５、６）は、前記第２のリザーバ（３）に接続された前記タイロッド（５、６）の端部（７、１０）を中心に１０〜２０度の角度だけ枢動するように構成され、前記タイロッド（５、６）の第２の端部（８、９）の前記長手方向の１〜５０ｍｍ、具体的には３０〜４０ｍｍの移動に対応することを特徴とする、［１］〜［１３］のいずれか一項に記載の容器。
［１５］  前記容器は、一方は前記第２のリザーバ（３）の長手方向端部と、他方は前記第１のリザーバ（２）の前記隣接した長手方向端部、及び前記第３のリザーバ（４）又は前記第３のリザーバ（４）に固定された支持要素の一端との間に固定された堅固な接合部（１５）を有し、前記固定された堅固な接合部（１５）は、前記第２のリザーバ（３）に対して前記第１のリザーバ（２）及び前記第３のリザーバ（４）の一方の長手方向端部の少なくとも前記長手方向の動きを防ぐ一方で、前記第２のリザーバ（３）に対して前記第１のリザーバ（２）及び前記第３のリザーバ（４）の反対側の端部の長手方向の移動を可能にすることを意味することを特徴とする、［１］〜［１４］のいずれか一項に記載の容器。
［１６］  前記固定された堅固な接合部（１５）は、一方は前記第２のリザーバ（３）と、他方は前記第１のリザーバ（２）及び前記第３のリザーバ（４）との間に断熱経路を生成するように、前記長手方向（Ａ）に往復して延在する壁を含むことを特徴とする、［１５］に記載の容器。
［１７］  前記第２のリザーバ（３）の前記下部に接続された前記タイロッドの前記端部（１０、７）の少なくとも一部は、前記第２のリザーバ（３）に対して限定された垂直移動を弱めることができる弾性支持部（１４）上に装着されることを特徴とする、［１］〜［１６］のいずれか一項に記載の容器。
【国際調査報告】
2021515151.tif 000011
2021515151.tif 000012
2021515151.tif 000013
2021515151.tif 000014
2021515151.tif 000015